(57)【特許請求の範囲】
【請求項１】
地盤中に埋設された引張材の周囲を長さ方向に削孔するためのビットと、このビットが先端面から前側に突出して設けられた円筒状の先端ロッドとを備え、該引張材を内側に通しながら軸線周りで行う回動及び長さ方向に行う圧入による削孔を可能とされた円筒状のビット付きロッドであって、
前記先端ロッドが、その内部から内側に向けて突出し、かつ、内周全体に亘って周方向に延びる突条を有しており、この突条が、その側端部が前記引張材に当接することで引張材を前記ビットに接触させないことを可能とする位置に形成されていることを特徴とするビット付きロッド。
【請求項２】
前記突条が、前記先端面の後側近傍に設けられていることを特徴とする請求項１に記載のビット付きロッド。
【請求項３】
前記突条が、周方向に沿って回転自在に設けられていることを特徴とする請求項１又は２に記載のビット付きロッド。
【発明の詳細な説明】
【技術分野】
【０００１】
本発明は、例えば地盤中に埋設された引張材としてのアンカーを撤去する目的に用いられるビット付きロッドに関する。
【背景技術】
【０００２】
従来のビット付きロッドとしては、地盤中に埋設されたアンカーを撤去する目的に用いられるものではないが、例えばアーチ形状に湾曲した曲線に形成された円筒鋼管と、地盤を削孔するためのビットが先端面に設けられ、適宜間隔でユニバーサルジョイントを介して折れ曲げ可能に連結され、円筒鋼管内に収容されたビット付きスクリューとを備え、円筒鋼管に対応した曲線形状に形成されたレールに沿って行う圧入を可能とされたものが開示されている（例えば、特許文献１参照）。
【特許文献１】特開平１１−１５９２７４号公報  このようなビット付きロッドによれば、ユニバーサルジョイントを介して折れ曲げ可能に連結されたビット付きスクリューが曲線に形成された円筒鋼管内に収容されているので、ビット付きスクリューを曲線としての軸線周りで回動及び圧入させることが可能となり、これにより、曲線に形成されるボーリング孔を削孔することが可能となる。
【発明の開示】
【発明が解決しようとする課題】
【０００３】
ところで、近年における建設工事の複雑化、高度化に伴い、例えば地盤中に埋設された引張材としてのアンカーを撤去する工事を行うニーズが増してきており、その際、アンカーの周囲を長さ方向に削孔することでアンカーと周辺地盤との縁を切ることが必要とされる。そして、アンカーの周囲を長さ方向に削孔するためには、アンカーを内側に通しながら軸線周りで回動及び圧入を行うことが必要とされる。
【０００４】
ここで、地盤中にアンカーを埋設する場合、地盤中にアンカーを送り出すためのボーリング孔を削孔することになるが、その際、ビット付きロッドの先端面が不可避的に玉石や砂礫などに当たってしまい、ボーリング孔が蛇行・屈曲することとなる。その結果、アンカーが地盤中で変則的に蛇行・屈曲する曲線として埋設されていることも多い。
【０００５】
そのため、単純にアンカーを内側に通しながら軸線周りで回動及び圧入を行うとすると、削孔中、アンカーが高速回転するビットに当接することで切断されてしまう場合も少なくない。このような場合には、切断された結果地盤中に残存することとなったアンカーを改めて撤去することは殆ど不可能である。
【０００６】
また、地盤中でのアンカーの蛇行・屈曲の度合いを予測して、これを平面的に内包するような大口径のビット付きロッドを用いてボーリング孔を削孔することは、設備機械の費用が膨大化することや、予測が必ず的中するとはいえないことに照らすと、殆ど考えられない。例えばボーリング鉛直精度は一般的なφ１３５ｍｍ口径で概ね１００分の１程度であるので、５０ｍのボーリングでは、中心よりも０．５ｍのズレがあることとなり、この曲がりを平面的に内包するには直径１ｍのボーリング孔が必要となったという経験的事実も報告されている。
【０００７】
そこで、本発明の課題は、引張材の撤去に関する信頼性及び安定性の向上効果が十分に得られるように、引張材が地盤中に変則的に蛇行・屈曲する曲線として埋設されている場合でも、引張材が高速回転するビットに接触して切断される事態を有効に回避できるビット付きロッドを提供することにある。
【課題を解決するための手段】
【０００８】
上記課題を解決するため、本発明に係る一のビット付きロッドは、地盤中に埋設された引張材の周囲を長さ方向に削孔するためのビットと、このビットが先端面から前側に突出して設けられた円筒状の先端ロッドとを備え、引張材を内側に通しながら軸線周りで行う回動及び長さ方向に行う圧入による削孔を可能とされた円筒状のビット付きロッドであって、先端ロッドの内部が引張材の外径寸法と略同一である内径寸法に形成されることにより、引張材をビットに接触させないで行う削孔を可能とされていることを特徴としている。
【０００９】
このようなビット付きロッドによれば、先端ロッドが引張材をビットに接触させない内部形状を有しているので、引張材が地盤中に変則的に蛇行・屈曲する曲線として埋設されている場合でも、引張材が高速回転するビットに接触して切断される事態を有効に回避できる。
【００１０】
したがって、これによれば、引張材の撤去に関する信頼性及び安定性の向上効果が得られることが可能となる。
【００１１】
ここで、引張材のビットへの接触をより確実に回避し得るようにして、引張材の撤去に関する信頼性及び安定性の向上効果を担保しようとする観点からすれば、先端ロッドの内部が、先端面の後側近傍である途中位置から先端面に亘ってラッパ状に拡張する内径寸法に形成されていることが好ましい。
【００１２】
また、本発明に係る他のビット付きロッドは、地盤中に埋設された引張材の周囲を長さ方向に削孔するためのビットと、このビットが先端面から前側に突出して設けられた円筒状の先端ロッドとを備え、引張材を内側に通しながら軸線周りで行う回動及び長さ方向に行う圧入による削孔を可能とされた円筒状のビット付きロッドであって、先端ロッドが、その内部から内側に向けて突出し、かつ、内周全体に亘って周方向に延びる突条を有しており、この突条が、その側端部が引張材に当接することで引張材をビットに接触させないことを可能とする位置に形成されていることを特徴としている。
【００１３】
このようなビット付きロッドによれば、引張材をビットに接触させない位置に形成された突条を有しているので、引張材が地盤中に変則的に蛇行・屈曲する曲線として埋設されている場合でも、引張材が高速回転するビットに接触して切断される事態を有効に回避できる。
【００１４】
したがって、これによれば、引張材の撤去に関する信頼性及び安定性の向上効果が得られることが可能となる。
【００１５】
このような技術的手段において、引張材をビットに当接させない突条の機能がより確実に得られるようにして、引張材の撤去に関する信頼性及び安定性の向上効果を担保しようとする観点からすれば、突条が、先端面の後側近傍に設けられていることが好ましい。
【００１６】
この場合において、突条の引張材に対する摺動が円滑に行われないことで引張材が傷つけられる危険性を回避するようにして、引張材の撤去に関する信頼性及び安定性の向上効果を担保しようとする観点からすれば、突条が、周方向に沿って回転自在に設けられていることが好ましい。
【発明の効果】
【００１７】
本発明に係るビット付きロッドによれば、引張材の撤去に関する信頼性及び安定性の向上効果が得られることとなる。
【発明を実施するための最良の形態】
【００１８】
以下、添付図面に基づいて本発明の実施の形態を詳細に説明する。
【００１９】
なお、ここでは、引張材がアンカーによって定着されている場合について説明するが、これに限られるものではなく、引張材がアンカーによって定着されていない場合その他の場合でも、以下の説明が妥当する。
【００２０】
＜実施の形態１＞
図１は本発明の実施の形態１に係るビット付きロッドの全体構成を示す縦断面図、図２は同ビット付きロッドの部分構成を示す平断面図である。
【００２１】
本実施の形態において、ビット付きロッドは、地盤中に埋設された引張材としてのＰＣ鋼線を撤去する目的に用いられるものとして構成されている。
【００２２】
具体的には、このビット付きロッドは、地盤中に埋設されたＰＣ鋼線の周囲を長さ方向に削孔する役割を果たすものとして構成されている。
【００２３】
そして、このビット付きロッドは、図１及び図２に示すように、ビットたるリングビット１と、リングビットを先端面に設けた先端ロッド２と、先端ロッドに後続する後続ロッド３とを備えたものとして構成されている。
【００２４】
以下、これらの各構成要素についてさらに詳細に説明する。
【００２５】
（１）リングビット１
リングビット１は、地盤中に埋設されたＰＣ鋼線１０の周囲を長さ方向に削孔する目的に用いられるものとして構成されている。
【００２６】
そして、このリングビット１は、図１及び図２に示すように、リング形状に形成されたものとして構成されており、ＰＣ鋼線１０を内側に通すことが可能とされている。
【００２７】
具体的には、リングビット１は、先端ロッド２の先端面に対して軸線周りで回転不能に固着されたものとして構成されている。
【００２８】
ここで、先端面に対するリングビット１の取り付け位置は、通常のボーリングで用いられるリングビット１の取り付け位置と異なるところがない。すなわち、リングビット１は、その内側端部が先端面の内側端部に位置するようにして又はその内側端部が先端面の内側端部から僅かに引っ込むようにして先端面に固着されている。
【００２９】
（２）先端ロッド２
先端ロッド２は、図１及び図２に示すように、円筒形状に形成されたものとして構成されており、ＰＣ鋼線１０を内側に通すことが可能とされている。
【００３０】
具体的には、この先端ロッド２は、これらの図に示すように、その先端面から前側に突出して設けられたリングビット１及びその後端部に対して接続された後続ロッド３を一体に有するものとして構成されている。
【００３１】
すなわち、このような先端ロッド２によれば、リングビット１及び後続ロッド３と同期に軸線周りで行う回転動作が可能となっており、かつ、リングビット１及び後続ロッド３とともに長さ方向に行う圧入動作が可能となっている。
【００３２】
ここで、これらの回転動作及び圧入動作は、これらの図に示すように、ＰＣ鋼線１０を内側に通しながら行うことを可能とされている。また、これらの回転動作及び圧入動作は、地盤上に設置したボーリングマシン（図示外）が後続ロッド３を把持しながら行うことが可能とされている。
【００３３】
つまり、これらの回転動作及び圧入動作を先端ロッド２がリングビット１及び後続ロッド３とともに行うことにより、地盤中に埋設されたＰＣ鋼線１０の周囲を長さ方向に削孔することが可能となっている。
【００３４】
ここで、先端ロッド２の内部は、これらの図に示すように、ＰＣ鋼線１０の外径寸法と略同一である内径寸法に形成されている。
【００３５】
これにより、ＰＣ鋼線１０をリングビット１に接触させないで行う削孔が可能となっており、その結果、ＰＣ鋼線１０が高速回転するリングビット１に接触して切断される事態を有効に回避することが可能となっている。
【００３６】
加えて、先端ロッド２の内部は、これらの図に示すように、先端面の後側近傍である途中位置から先端面に亘ってラッパ状に拡張する内径寸法に形成されている。
【００３７】
これにより、ＰＣ鋼線１０のリングビット１への接触をより確実に回避することが可能となっており、その結果、ＰＣ鋼線１０の撤去に関する信頼性及び安定性の向上効果を担保することが可能となっている。
【００３８】
（３）後続ロッド３
後続ロッド３は、図１及び図２に示すように、円筒形状に形成されたものとして構成されており、ＰＣ鋼線１０を内側に通すことが可能とされている。
【００３９】
具体的には、この後続ロッド３は、先端ロッド２の後端部に対して軸線周りで回転不能に接続されたものとして構成されている。
後続ロッド３は、これらの図に示すように、その先端部から延出するようにして設けられた先端ロッド２及び先端ロッド２の先端面から前側に突出して設けられたリングビット１を一体に有するものとして構成されている。
【００４０】
すなわち、このような後続ロッド３によれば、先端ロッド２及びリングビット１と同期に軸線周りで行う回転動作が可能となっており、かつ、先端ロッド２及びリングビット１とともに長さ方向に行う圧入動作が可能となっている。
【００４１】
ここで、これらの回転動作及び圧入動作は、これらの図に示すように、ＰＣ鋼線１０を内側に通しながら行うことを可能とされている。また、これらの回転動作及び圧入動作は、地盤上に設置したボーリングマシン（図示外）が後続ロッド３を把持しながら行うことが可能とされている。
【００４２】
つまり、これらの回転動作及び圧入動作を後続ロッド３が先端ロッド２及びリングビット１とともに行うことにより、地盤中に埋設されたＰＣ鋼線１０の周囲を長さ方向に削孔することが可能となっている。
【００４３】
上記したように、本実施の形態におけるビット付きロッドによれば、先端ロッド２がＰＣ鋼線１０をリングビット１に接触させない内部形状を有するものとして構成されている。
【００４４】
したがって、このようなビット付きロッドによれば、ＰＣ鋼線１０が地盤中に変則的に蛇行・屈曲する曲線として埋設されている場合でも、ＰＣ鋼線１０が高速回転するリングビット１に接触して切断される事態を有効に回避することが可能となっている。
【００４５】
よって、これによれば、ＰＣ鋼線１０の撤去に関する信頼性及び安定性の向上効果が十分に得られることが可能となっている。
【００４６】
＜実施の形態２＞
図３は本発明の実施の形態１に係るビット付きロッドの全体構成を示す縦断面図、図４は同ビット付きロッドの部分構成を示す平断面図である。なお、実施の形態１と同様な構成要素については、実施の形態１と同様な符号を付してここではその詳細な説明を省略する。
【００４７】
この実施の形態２に係るビット付きロッドは、図３及び図４に示すように、実施の形態１とほぼ同様であるが、実施の形態１と異なり、先端ロッド２の内部がＰＣ鋼線１０の外径寸法と略同一である内径寸法に形成されておらず、先端ロッド２が、その内部から内側に向けて突出し、かつ、内周全体に亘って周方向に延びる突条たるセンター保持リング４を有している。そして、このセンター保持リング４は、図３に示すように、その側端部がＰＣ鋼線１０に当接することでＰＣ鋼線１０をリングビット１に接触させないことを可能とする位置に形成されている。
【００４８】
ここで、このセンター保持リング４は、同図に示すように、先端面の後側近傍に設けられている。
【００４９】
これにより、ＰＣ鋼線１０をリングビット１に当接させないセンター保持リング４の機能がより確実に得られることになっており、その結果、ＰＣ鋼線１０の撤去に関する信頼性及び安定性の向上効果を担保することが可能となっている。
【００５０】
また、このセンター保持リング４は、図示しないが、周方向に沿って回転自在に設けられている。
【００５１】
これにより、センター保持リング４のＰＣ鋼線１０に対する摺動が円滑に行われないことでＰＣ鋼線１０が傷つけられる危険性を回避することが可能となっており、その結果、ＰＣ鋼線１０の撤去に関する信頼性及び安定性の向上効果を担保することが可能となっている。
【００５２】
すなわち、この実施の形態２に係るビット付きロッドにあっては、同図に示すように、先端ロッド２の内部にＰＣ鋼線１０をリングビット１に接触させない位置に形成されたセンター保持リング４を有している。
【００５３】
したがって、この実施の形態２に係るビット付きロッドによっても、実施の形態１における先端ロッド２の内部形状と同様な機能を発揮するセンター保持リング４を先端ロッド２の内部に有しているので、実施の形態１とほぼ同様な効果が得られることになっている。
【図面の簡単な説明】
【００５４】
【図１】本発明の実施の形態１に係るリングビット付きロッドの全体構成を示す縦断面図である。
【図２】本発明の実施の形態１に係るリングビット付きロッドの部分構成を示す平断面図である。
【図３】本発明の実施の形態２に係るリングビット付きロッドの全体構成を示す縦断面図である。
【図４】本発明の実施の形態２に係るリングビット付きロッドの部分構成を示す平断面図である。
【符号の説明】
【００５５】
１ リングビット
２ 先端ロッド
３ 後続ロッド
４ センター保持リング
１０ ＰＣ鋼線
【図１】
0004626842.tif 000002
【図２】
0004626842.tif 000003
【図３】
0004626842.tif 000004
【図４】
0004626842.tif 000005